(57)【要約】【課題】唇のマッサージを効率的に行うことを可能にすると共に、唇のマッサージ中において両手を自由に使うことを可能にしたリップケア用具を提供すること。【解決手段】発熱体としての熱電対３０と振動発生体としての偏心モータ３４が内蔵され、使用者の唇と当接する部分に複数の突起１４が形成されてなるリップ当接体１０と、熱電対３０および偏心モータ３４に電源を供給する電源装置としてのバッテリ２４と、熱電対３０の発熱温度および偏心モータ３４の動作をそれぞれ制御する電源供給制御部２６を具備する本体部２０と、を有し、リップ当接体１０には、使用者が咥えることにより、複数の突起１４が使用者の唇に当接した状態を維持させるためのマウスピース１６が形成されていることを特徴とするリップケア用具１００。【選択図】図２
2016093433.tif 000002
【特許請求の範囲】
【請求項１】
発熱体と振動発生体が内蔵され、使用者の唇と当接する部分に複数の突起が形成されてなるリップ当接体と、
前記発熱体および前記振動発生体に電源を供給する電源装置と、前記発熱体の発熱温度および前記振動発生体の動作をそれぞれ制御する制御部を具備する本体部と、を有し、
前記リップ当接体には、使用者が咥えることにより、前記複数の突起が前記使用者の唇に当接した状態を維持させるためのマウスピースが形成されていることを特徴とするリップケア用具。
【請求項２】
前記マウスピースは、前記使用者の前歯の裏面に当接するフランジ部を有していることを特徴とする請求項１記載のリップケア用具。
【発明の詳細な説明】
【技術分野】
【０００１】
本発明は、リップケア用具に関する。
【背景技術】
【０００２】
いわゆるリップケアを行うためのリップケア用具の一例として、例えば特許文献１および２に開示されているような構成のリップケア用具が提案されている。
【先行技術文献】
【特許文献】
【０００３】
【特許文献１】特開２０１３−１８３８９０号公報
【特許文献２】特開２０１３−１９８５５２号公報
【発明の概要】
【発明が解決しようとする課題】
【０００４】
特許文献１および２にそれぞれ開示されているリップケア用具は、唇の縦皺等の細かい場所をマッサージ等する際において都合のよい構成になっている。このようなリップケア用具を用いて唇全体のマッサージを行う際には、非常に時間がかかるという課題や、マッサージを行っている間、少なくとも片手が自由にならないため、不便を生じることがあるという課題の所在が明らかになった。
【０００５】
そこで本発明は、唇のマッサージを効率的に行うことを可能にすると共に、唇のマッサージ中において両手を自由に使うことを可能にしたリップケア用具の提供を目的としている。
【課題を解決するための手段】
【０００６】
上記課題を解決し、目的を達成させるために鋭意研究を行った結果、本発明者は以下の構成に想到した。
すなわち、発熱体と振動発生体が内蔵され、使用者の唇と当接する部分に複数の突起が形成されてなるリップ当接体と、前記発熱体および前記振動発生体に電源を供給する電源装置と、前記発熱体の発熱温度および前記振動発生体の動作をそれぞれ制御する制御部を具備する本体部と、を有し、前記リップ当接体には、使用者が咥えることにより、前記複数の突起が前記使用者の唇に当接した状態を維持させるためのマウスピースが形成されていることを特徴とするリップケア用具である。
【０００７】
また、前記マウスピースは、前記使用者の前歯の裏面に当接するフランジ部を有していることを特徴とする。これにより、唇のマッサージを行う際におけるリップ当接体と唇との密着度を高めることができ、マッサージ効果を向上させることができる。
【発明の効果】
【０００８】
本発明にかかるリップケア用具の構成によれば、唇のマッサージ中であっても、両手を自由に使うことができる。また、リップ当接体は唇全体に対して高い密着度で密着するため、唇のマッサージを短時間で効率的に行うことができる。
【図面の簡単な説明】
【０００９】
【図１】第１実施形態におけるリップケア用具の正面図である。
【図２】図１に示したリップケア用具の斜視図である。
【図３】図１に示したリップ当接体の内部構造を示す正面図である。
【図４】第２実施形態におけるリップ当接体の内部構造を示す斜視図である。
【発明を実施するための形態】
【００１０】
以下、本発明にかかるリップケア用具１００の実施形態について、図面に基づいて説明する。
【００１１】
（第１実施形態）
図１および図２に示すように、本実施形態におけるリップケア用具１００は、リップ当接体１０とリップ当接体１０に電気的に接続された本体部２０とを有している。リップ当接体１０と本体部２０には電源コード１２，２２が設けられていて、電源コード１２，２２の端部１２Ａ，２２Ａは、互いの接続および分離を可能にするジャック部に形成されている。
【００１２】
リップ当接体１０は、正面視形状が略Ｙ字状に形成されている。リップ当接体１０には図３に示すように発熱体である熱電対３０が複数配設されている。本実施形態においては、リップ当接体１０の枝分かれ側の先端部分に熱電対３０をそれぞれ配設している。熱電対３０は、本体部２０の内部に配設された電源装置であるバッテリ２４と電気的に接続されていて、バッテリ２４から供給される電力により発熱する。本実施形態においてはバッテリ２４として単４乾電池を４本使用しているが、バッテリ２４はこの構成に限定されるものではない。
【００１３】
熱電対３０は、変形Ｌ字状に形成された形状保持体３２の先端部分に取り付けられている。この形状保持体３２は鋼材により構成されており、図３に示すようにリップ当接体１０の下部に配設された振動発生体である偏心モータ３４の側面位置に取り付けられている。形状保持体３２は、偏心モータ３４との取り付け部分となる平板状の取付部３２Ａと、取付部３２Ａと一体であり、円弧状に形成された湾曲部３２Ｂとを有している。湾曲部３２Ｂは変形可能に形成されていて、使用者の唇の形状に合わせて適宜湾曲状態を調整することができる。また、湾曲部３２Ｂには、絶縁体からなる筒状体３２Ｃが取り付けられている。筒状体３２Ｃは湾曲部３２Ｂの内周面側位置に取り付けられていて、筒状体３２Ｃの内部空間には電源コード１２と熱電対３０との電気配線が収容されている。
【００１４】
以上のようにして形成された形状保持体３２は、熱電対３０からの熱をリップ当接体１０の全体に伝達させるための熱伝導体、振動発生体である偏心モータ３４の振動を伝達する振動伝達体、リップ当接体１０の形状を保持するための形状保持体、熱電対３０とバッテリ２４との配線収容体をそれぞれ兼ねている。本実施形態においては、リップ当接体１０内の左右のそれぞれに略Ｌ字型をなす形状保持体３２が配設された形態について説明しているが、熱電対３０，３０の熱や偏心モータ３４からの振動をリップ当接体１０内に伝導させることができればよいのである。例えば、単純な円弧状をなした形状保持体３２を用い、形状保持体３２の中央部分を偏心モータ３４に接触させた状態で配設し、形状保持体３２の両先端部分に熱電対３０，３０を取り付けした形態を採用することもできる。
【００１５】
リップ当接体１０は熱電対３０および形状保持体３２と、偏心モータ３４をインサート成形したシリコーン樹脂により形成されている。また、リップ当接体１０には、使用者の唇と当接する部分に複数個の突起１４が設けられている。本実施形態における突起１４は球面状に形成したものが用いられている。バッテリ２４を動力源とする偏心モータ３４により生成された振動は、突起１４を介して使用者の唇に伝達され、唇に対するマッサージ効果を得ることができる。
【００１６】
また、リップ当接体１０には使用者が前歯で咥えこむことにより、リップ当接体１０をハンズフリー状態で保持することを可能にするマウスピース１６が形成されている。マウスピース１６は、リップ当接体１０の湾曲部分から離反する起立部１６Ａと起立部１６Ａの先端部分に形成されたフランジ部１６Ｂとを有し、リップ当接体１０と一体形成されている。このようなマウスピース１６の構成を採用することにより、使用者は前歯で軽くマウスピース１６を咥えるだけで、リップ当接体１０を使用者の唇への密着度を高めた状態を維持することができる。このように本実施形態にかかるリップケア用具１００の構成によれば、使用者は唇のマッサージ中にリップ当接体１０を手で持っている必要がなく、両手を自由に用いることができ、他の事をしながら唇のマッサージを行うことができ、好都合である。
【００１７】
本体部２０には、リップ当接体１０に内蔵された熱電対３０および偏心モータ３４に電源を供給するための電源装置であるバッテリ２４と、熱電対３０および偏心モータ３４へのバッテリ２４からの電源供給状態を制御する制御部である電源供給制御部２６が配設されている。電源供給制御部２６は図示しない記憶手段を具備し、リップ当接体１０の表面温度が４２〜４５℃程度になるように熱電対３０への供給電流量および電流供給時間を制御すると共に、偏心モータ３４の駆動状態が所要の状態となるように偏心モータ３４への電流供給タイミングを制御する電源供給制御プログラムが記憶されている。この電源供給制御部２６による熱電対３０および偏心モータ３４の動作制御は、各々を異なるタイミングで個別に動作制御してもよいし、両者を同時に動作制御することもできる。
【００１８】
本実施形態における電源供給制御プログラムは、偏心モータ３４の駆動状態（オンオフ動作または生成される振動の強弱変化）がいわゆる１／ｆゆらぎと称される状態となるように偏心モータ３４への供給電流量および電流供給時間を制御している。このような１／ｆゆらぎでリップ当接体１０に振動を加えることで使用者に心地良い使用感を提供することができる点で好都合である。
【００１９】
（第２実施形態）
図４は、本実施形態にかかるリップケア用具のリップ当接体において、シリコーン樹脂による成形前の状態を示す説明図である。
本実施形態において第１実施形態と共通する構成部分については、同じ部材番号を付すことによりここでの詳細な説明を省略する。本実施形態にかかるリップケア用具１００は、リップ当接体１０とリップ当接体１０に電気的に接続された本体部２０とを有している点は第１実施形態と同様である。
【００２０】
本実施形態においては、図４に示すように、板状に形成された形状保持体３２に発熱体として面状発熱体３１を取り付けた形態を採用している点が特徴的である。図４からも明らかなとおり、面状発熱体３１と形状保持体３２とは略同じ形状に形成されている。面状発熱体３１を形状保持体３２に積層させ、電源端子３１Ａ，３１Ａを電源コード１２に電気的に接続させた後、シリコーン樹脂等により少なくとも面状発熱体３１および形状保持体３２をインサート成形することでリップ当接体１０が形成される。図４では、偏心モータ３４が合成樹脂により既にインサート成形された状態を示しているが、偏心モータ３４を面状発熱体３１と形状保持体３２と同時にインサート成形することでリップ当接体１０と一体成形してもよい。
【００２１】
発熱体に面状発熱体３１を採用し、形状保持体３２に略同じ平面形状に形成された面状発熱体３１を積層させることにより、リップ当接体１０内における熱分布を均一化させやすくすることができる。
また、面状発熱体３１のＰＴＣ（Positive Temperature Coefficient）特性により、面状発熱体３１の温度を所定の温度に維持させることができる。これによりサーモスタットに代表される発熱体の温度制御手段の配設を省略することができ、リップ当接体１０の構成を簡略化することが可能になる点においても好都合である。
【００２２】
次に、第１実施形態で説明したリップケア用具１００を用いた唇のマッサージ方法について説明する。
まず、使用者は、リップ当接体１０を必要に応じて洗浄、殺菌処理の少なくとも一方を施しておく。次に、必要に応じて使用者は唇にリップクリームや保湿液などを塗布し、リップ当接体１０のマウスピース１６を前歯で咥え、リップ当接体１０の突起１４配設面を唇に密着させる。
【００２３】
使用者がリップケア用具１００の本体部２０の側面に配設されたスイッチ２８を押下すると、電源供給制御部２６がパイロットランプ２９を点灯させると共に、発熱体である熱電対３０と振動発生手段である偏心モータ３４への電源供給を開始する。熱電対３０および偏心モータ３４の動作制御は、熱電対３０の発熱状態や偏心モータ３４のオンオフ動作または振動の強弱状態がいわゆる１／ｆゆらぎとなるように動作制御されることが好ましい。熱電対３０および偏心モータ３４は、電源供給制御部２６により個別または同時に動作制御される。また、電源供給制御部２６は所定時間が経過すると、熱電対３０および偏心モータ３４への電源供給を停止する。この際、電源供給制御部２６は、パイロットランプ２９を消灯させると共に、偏心モータ３４を所定の動作モードでオンオフ動作させる処理を実行するので、使用者はマッサージが終了したことを把握することができる。
【００２４】
以上のようにして熱電対３０および偏心モータ３４の動作が制御され、唇への熱および振動を用いたマッサージを施すことができる。唇のマッサージは、温熱効果と振動効果により物理的なマッサージ効果に加えリラックス効果を得ることもでき、使用者に爽快な使用感を提供することができる。
また、リップ当接体１０に設けられたマウスピース１６により、使用者は唇のマッサージ中においてハンズフリーになる（両手を自由に使うことができる）ため、自分がやりたいことや、やらなければならないことをマッサージと並行して行うことができ、時間の節約にもなる点で好都合である。
【００２５】
以上にリップケア用具１００およびこれを用いた唇のマッサージ方法について実施形態に基づいて詳細に説明したが、本発明は、以上の実施形態に限定されるものではなく、発明の要旨を変更しない範囲において適宜改変を行ったとしても本発明の技術的範囲に属する。例えば、以上の実施形態においては、突起１４の形態を半球状にした実施形態について説明しているが、円錐台状や錐体形状等の他の形態に形成してもよい。
【００２６】
また、以上の実施形態においては、形状保持体３２が熱電対３０の熱伝導体と、偏心モータ３４の振動伝達体を兼ねている形態について説明したが、形状保持体３２の配設を省略することもできる。さらには、形状保持体３２が熱伝導体や振動伝達体を兼ねていなくてもよい。すなわち、リップ当接体１０への熱伝導体および振動伝達体の配設を省略した形態を採用することもできるのである。
さらに、本実施形態で説明した電源供給制御プログラムにおいては、偏心モータ３４の駆動状態を、いわゆる１／ｆゆらぎと称される状態としているが、所定の振動出力を所定の周期で繰り返す駆動状態の他、偏心モータ３４の振動出力および駆動周期を所定の範囲内においてランダムな状態で作動させるようにしてもよい。
【００２７】
また、以上に示した実施形態においては、リップ当接体１０と本体部２０とは電源コード１２，２２により接続されているが、リップ当接体１０と本体部２０とから電源コード１２，２２を省略したワイヤレス構造にすることも可能である。この場合、本体部２０からリップ当接体１０への電源供給は、リップ当接体１０にボタン電池に代表されるような小型・薄型のバッテリを内蔵させる構成を採用してもよい。
さらには、リップ当接体１０に電磁波受信手段およびコンバータを配設し、本体部２０に電磁波送信手段およびコンバータを配設させることによりリップ当接体１０と本体部２０とをワイヤレス構造にしてもよい。
【００２８】
このようなリップ当接体１０と本体部２０のワイヤレス構造について詳細する。まず、本体部２０に収容されたバッテリ２４の電力は、本体部２０のコンバータにより電磁波に変換される。次に、本体部２０のコンバータによって変換された電磁波は、本体部２０の電磁波送信手段によりリップ当接体１０の電磁波受信手段に送信される。そして、リップ当接体１０の電磁波受信手段が受信した電磁波は、リップ当接体１０のコンバータにより電力に変換される。このようにリップ当接体１０と電源を収容した本体部２０とがワイヤレス構造であっても、本体部２０のバッテリ２４の電力をリップ当接体１０の発熱体（熱電対３０または面状発熱体３１）および振動発生体（偏心モータ３４）にそれぞれ供給することができる。
【００２９】
また、以上の実施形態においては、唇のマッサージを行う際に、リップクリームや保湿液などを塗布しているが、唇のマッサージを行う際に唇に対して何も塗布しない状態でマッサージを行うことも可能である。
また、第１実施形態および第２実施形態と、唇のマッサージ方法の実施形態においてそれぞれ説明した構成を適宜組み合わせた構成を採用することも本発明の技術的範囲に属する。
【符号の説明】
【００３０】
１０  リップ当接体，１２  電源コード，１２Ａ  端部，１４  突起，
１６  マウスピース，１６Ａ  起立部，１６Ｂ  フランジ部，
２０  本体部，２２  電源コード，２２Ａ  端部，２４  バッテリ，
２６  電源供給制御部，
３０  熱電対，３１  面状発熱体，３１Ａ  電源端子，
３２  形状保持体，３２Ａ  取付部，３２Ｂ  湾曲部，３２Ｃ  筒状体
３４  偏心モータ，１００  リップケア用具
【図１】
2016093433.tif 000003
【図２】
2016093433.tif 000004
【図３】
2016093433.tif 000005
【図４】
2016093433.tif 000006